(57)【要約】  ロックインアンプを使用する場合と比較して、より短い露光時間で、必要な感度を得ることを目的として、本発明に係る画像取得装置（１）は、光源（２）から射出された照明光を走査する走査部（４）と、走査される照明光を試料（Ａ）に集光する一方、試料（Ａ）の各走査位置において発生した信号光を集光する光学系（５）と、集光された信号光を検出して検出信号を生成する検出器（８）と、所定の周期で繰り返される周期信号を発生させる信号制御部（１１）と、発生した周期信号に従い、照明光の位置または強度を時間的に制御する光制御部（３）と、発生した周期信号に従い、検出器（８）により生成された検出信号を処理する演算部（９）とを備え、演算部（９）が、周期信号の周期分だけ検出信号の周波数をシフトする周波数シフト手段（１６）と、シフトされた検出信号を周期信号の周期の整数倍の積分時間で積分する積分器（１７）とを備える。
2017154171.tif 000002
【特許請求の範囲】
【請求項１】
光源から射出された照明光を走査する走査部と、
該走査部により走査される前記照明光を試料に集光する一方、該試料の各走査位置において発生した信号光を集光する光学系と、
該光学系により集光された前記信号光を検出して検出信号を生成する検出器と、
所定の周期で繰り返される周期信号を発生させる信号制御部と、
該信号制御部が発生した前記周期信号に従い、前記照明光の位置または強度を時間的に制御する光制御部と、
前記信号制御部が発生した前記周期信号に従い、前記検出器により生成された前記検出信号を処理する演算部とを備え、
該演算部が、前記信号制御部が発生した前記周期信号の周期分だけ前記検出信号の周波数をシフトする周波数シフト手段と、該周波数シフト手段によりシフトされた前記検出信号を前記周期信号の周期の整数倍の積分時間で積分する積分器とを備える画像取得装置。
【請求項２】
前記光制御部が、前記周期信号に従い、前記照明光の位置または強度を２つの状態間で交互に切り替える請求項１に記載の画像取得装置。
【請求項３】
前記信号制御部が、前記光制御部、前記周波数シフト手段および前記積分器のいずれか１つに入力する前記周期信号を基準として、他の２つを連動させるように、他の２つに入力する前記周期信号の位相調整を行う請求項１または請求項２に記載の画像取得装置。
【請求項４】
前記信号制御部が、前記光制御部、前記周波数シフト手段および前記積分器のいずれかに設けられている請求項３に記載の画像取得装置。
【請求項５】
前記検出信号をデジタル化するＡ／Ｄ変換器を備え、
前記周波数シフト手段が、前記周期信号に従って前記検出信号にデジタル符号割り当てを行い、
前記積分器がデジタル積分を行う請求項１から請求項４のいずれかに記載の画像取得装置。
【請求項６】
前記Ａ／Ｄ変換器が、オフセット調整機能を有する請求項５に記載の画像取得装置。
【請求項７】
前記照明光が複数の経路を経由して前記試料に照射され、
前記光制御部、前記信号制御部および前記演算部の少なくとも１つが、各前記経路を経由する各前記照明光に対応して複数備えられている請求項１から請求項６のいずれかに記載の画像取得装置。
【請求項８】
所定の周期で繰り返される周期信号に従って、光源から射出された照明光の位置または強度を時間的に制御する変調ステップと、
該変調ステップにおいて制御された照明光を試料において走査する走査ステップと、
該走査ステップにおいて走査された照明光の各走査位置において発生した信号光を検出して検出信号を生成する検出ステップと、
該検出ステップにおいて生成された前記検出信号の周波数を、前記周期信号の周期分だけシフトする周波数シフトステップと、
該周波数シフトステップによりシフトされた前記検出信号を前記周期信号の周期の整数倍の積分時間で積分する積分ステップとを含む画像取得方法。
【発明の詳細な説明】
【技術分野】
【０００１】
本発明は、画像取得装置および画像取得方法に関するものである。
【背景技術】
【０００２】
強い信号に混じっている微小信号を検出して画像化するために、ロックインアンプを使用する画像取得方法が知られている（例えば、特許文献１から４参照。）。
【先行技術文献】
【特許文献】
【０００３】
【特許文献１】ＷＯ２００６／０６１９４７号パンフレット
【特許文献２】ＷＯ２０１５／０３０２０２号パンフレット
【特許文献３】特表２０１４−５０７６２７号公報
【特許文献４】ＷＯ２０１４／０２７４４９号パンフレット
【発明の概要】
【発明が解決しようとする課題】
【０００４】
特許文献１から４の技術のように微小信号の検出にロックインアンプを使用する場合、ロックインアンプのリフレッシュレート分だけ待たなければならず、必要な感度で微小信号を分離するために露光時間を増加させる必要がある。
本発明は、上述した事情に鑑みてなされたものであって、ロックインアンプを使用する場合と比較して、より短い露光時間で、必要な感度を得ることができる画像取得装置および画像取得方法を提供することを目的としている。
【課題を解決するための手段】
【０００５】
本発明の一態様は、光源から射出された照明光を走査する走査部と、該走査部により走査される前記照明光を試料に集光する一方、該試料の各走査位置において発生した信号光を集光する光学系と、該光学系により集光された前記信号光を検出して検出信号を生成する検出器と、所定の周期で繰り返される周期信号を発生させる信号制御部と、該信号制御部が発生した前記周期信号に従い、前記照明光の位置または強度を時間的に制御する光制御部と、前記信号制御部が発生した前記周期信号に従い、前記検出器により生成された前記検出信号を処理する演算部とを備え、該演算部が、前記信号制御部が発生した前記周期信号の周期分だけ前記検出信号の周波数をシフトする周波数シフト手段と、該周波数シフト手段によりシフトされた前記検出信号を前記周期信号の周期の整数倍の積分時間で積分する積分器とを備える画像取得装置である。【０００６】
本態様によれば、光源から射出された照明光が走査部によって走査されると、光学系を経由して試料の各走査位置に照射され、各走査位置において発生した信号光が光学系によって集光される。集光された信号光は検出器によって検出されることにより検出信号が生成され、生成された検出信号が演算部において処理される。【０００７】
光制御部によって、試料における照明光の照射位置および強度が、信号制御部が発生した周期信号に従って制御され、演算部においては、検出器により生成された検出信号の周波数が、信号制御部が発生した周期信号の周期分だけ周波数シフト手段によってシフトされた後に、積分器において周期信号の周期の整数倍の積分時間で積分される。これにより、混合された状態で検出された検出信号の中から任意の信号を分離抽出することができる。【０００８】
この場合において、本実施形態によれば、信号の分離抽出にロックインアンプを用いておらず、信号制御部が発生した周期信号に従って動作する積分器を用いているので、ロックインアンプにおいて必要であったリフレッシュレートが不要となり、より短い露光時間で必要な感度の信号を抽出し、抽出された信号を各走査位置に当てはめることで、試料の画像を取得することができる。【０００９】
上記態様においては、前記光制御部が、前記周期信号に従い、前記照明光の位置または強度を２つの状態間で交互に切り替えてもよい。
また、上記態様においては、前記信号制御部が、前記光制御部、前記周波数シフト手段および前記積分器のいずれか１つに入力する前記周期信号を基準として、他の２つを連動させるように、他の２つに入力する前記周期信号の位相調整を行ってもよい。
また、上記態様においては、前記信号制御部が、前記光制御部、前記周波数シフト手段および前記積分器のいずれかに設けられていてもよい。【００１０】
また、上記態様においては、前記検出信号をデジタル化するＡ／Ｄ変換器を備え、前記周波数シフト手段が、前記周期信号に従って前記検出信号にデジタル符号割り当てを行い、前記積分器がデジタル積分を行ってもよい。【００１１】
また、上記態様においては、前記Ａ／Ｄ変換器が、オフセット調整機能を有していてもよい。
オフセット機能を有するＡ／Ｄ変換器により、検出信号の分解能を向上することができる。【００１２】
また、上記態様においては、前記照明光が複数の経路を経由して前記試料に照射され、前記光制御部、前記信号制御部および前記演算部の少なくとも１つが、各前記経路を経由する各前記照明光に対応して複数備えられていてもよい。【００１３】
また、本発明の他の態様は、所定の周期で繰り返される周期信号に従って、光源から射出された照明光の位置または強度を時間的に制御する変調ステップと、該変調ステップにおいて制御された照明光を試料において走査する走査ステップと、該走査ステップにおいて走査された照明光の各走査位置において発生した信号光を検出して検出信号を生成する検出ステップと、該検出ステップにおいて生成された前記検出信号の周波数を、前記周期信号の周期分だけシフトする周波数シフトステップと、該周波数シフトステップによりシフトされた前記検出信号を前記周期信号の周期の整数倍の積分時間で積分する積分ステップとを含む画像取得方法である。
【発明の効果】
【００１４】
本発明によれば、ロックインアンプを使用する場合と比較して、より短い露光時間で、必要な感度を得ることができるという効果を奏する。
【図面の簡単な説明】
【００１５】
【図１】本発明の一実施形態に係る画像取得装置を示すブロック図である。
【図２】図１の画像取得装置における、（ａ）光制御部から出力されるレーザ光、（ｂ）検出器により検出された蛍光の検出信号、（ｃ）周波数シフト手段によるシフト後の検出信号、（ｄ）積分後の検出信号をそれぞれ示す図である。
【図３】本発明の一実施形態に係る画像取得方法を示すブロック図である。
【図４】図１の画像取得装置の第１の変形例を示すブロック図である。
【図５】図１の画像取得装置の第２の変形例を示すブロック図である。
【図６】図１の画像取得装置の第３の変形例を示すブロック図である。
【図７】図１の画像取得装置の第４の変形例を示すブロック図である。
【図８】図１の画像取得装置の第５の変形例を示すブロック図である。
【発明を実施するための形態】
【００１６】
以下、本発明の一実施形態に係る画像取得装置１について、図面を参照して以下に説明する。
本実施形態に係る画像取得装置１は、共焦点顕微鏡であって、レーザ光（照明光）を射出する光源２と、光源２からのレーザ光の位置を時間的に変調する光制御部３とを備えている。また、画像取得装置１は、光制御部３により時間的に変調されたレーザ光を２次元的に走査するスキャナ（走査部）４と、該スキャナ４により走査されたレーザ光を試料Ａに集光する一方、試料Ａにおけるレーザ光の照射位置において発生した蛍光を集光する対物レンズ（光学系）５とを備えている。
【００１７】
また、画像取得装置１は、対物レンズ５により集光されスキャナ４を経由して戻る蛍光をレーザ光の光路から分離するダイクロイックミラー６と、対物レンズ５の焦点位置と光学的に共役な位置に配置されるピンホール７と、該ピンホール７を通過した蛍光を検出し検出信号を生成する検出器（ＰＭＴ：光電子増倍管）８とを備えている。
【００１８】
さらに、画像取得装置１は、検出器８において生成された検出信号を処理する演算部９と、該演算部９による処理後の検出信号に基づいて画像を生成する画像処理部（ＰＣ：パーソナルコンピュータ）１０とを備えている。
また、光制御部３および演算部９にはこれらを同期させる所定の周期信号を発生する信号制御部１１が接続されている。
【００１９】
本実施形態においては、光制御部３は、光源２からのレーザ光を２つの光路Ｌ１，Ｌ２に分岐する第１ビームスプリッタ１２と、該第１ビームスプリッタ１２により分岐された各光路Ｌ１，Ｌ２に設けられた音響光学変調器（ＡＯＭ）１３ａ，１３ｂと、各音響光学変調器１３ａ，１３ｂにより変調されたレーザ光を合波する第２ビームスプリッタ１４とを備えている。図中、符号１５は、光路を構成するためのミラーである。
【００２０】
一方の光路Ｌ１は、ミラー１５によって光軸をずらし、第２ビームスプリッタ１４による合波後の２つのレーザ光がスキャナ４に異なる角度で入射するように設定されている。これにより、一方の光路Ｌ１を通過したレーザ光は、ピンホール７とは光学的に非共役な試料Ａ上の位置に集光させられるようになっている。また、他方の光路Ｌ２を通過したレーザ光は、ピンホール７と光学的に共役な試料Ａ上の位置に集光させられるようになっている。
【００２１】
２つの音響光学変調器１３ａ，１３ｂは、信号制御部１１から出力される周期信号に従って、排他的に動作するようになっている。すなわち、光源２から発せられたレーザ光は、２つの音響光学変調器１３ａ，１３ｂを周期信号に同期して作動させることによって、２つの光路Ｌ１，Ｌ２を通過するレーザ光の強度を反転したタイミングで時間的に交互に増減させて、図２（ａ）に示されるように、共役な位置に集光されるレーザ光と、非共役な位置に集光されるレーザ光として交互に生成され、レーザ光の位置を異ならせた２つの状態が時間的に交互に切り替えられるようになっている。
【００２２】
演算部９は、図１に示されるように、図示しないＡ／Ｄ変換器と、周波数シフト手段１６と積分器１７とを備えている。
検出器８により検出された検出信号は、Ａ／Ｄ変換器によってデジタル信号に変換された後に、周波数シフト手段１６に入力されるようになっている。
【００２３】
周波数シフト手段１６は、検出器８により生成された検出信号の周波数を、信号制御部１１が発生した周期信号の周期分だけシフトするようになっている。本実施形態においては、周波数シフト手段１６は、周期信号に同期したタイミングで符号を割り当てるデジタル周波数シフト手段であるが、ほかに電気回路でスイッチにより正負を割り当てる方法であってもよく、これらに限定されるものではない。
【００２４】
例えば、図２（ａ）のレーザ光が試料Ａに照射された結果、発生した蛍光が検出器８によって検出されることにより生成された検出信号が、図２（ｂ）のようになった場合に周波数シフト手段１６を通過させることにより、図２（ｃ）に示されるように、非共役な位置において発生した蛍光の符号が反転させられる。
【００２５】
積分器１７は、信号制御部１１が発生した周期信号の周期の整数倍の積分時間で、周波数シフト手段１６からの出力を積分するようになっている。図２に示す例では、周期信号の周期の２倍の積分時間で積分するようになっている。積分器１７からの出力を図２（ｄ）に示す。
これにより、対物レンズ５の焦点位置において発生した蛍光と焦点外において発生した焦点外蛍光とが混合された蛍光から焦点外蛍光を減算した蛍光、すなわち、対物レンズ５の焦点位置において発生した蛍光のみを算出することができるようになっている。
【００２６】
画像処理部１０は、演算部９から出力された蛍光強度を、該蛍光が検出された時点でのスキャナ４による走査位置情報と対応づけることにより、試料Ａの蛍光画像を生成するようになっている。演算部９から出力された蛍光強度は、焦点外蛍光の強度を含まないので、ノイズの少ない鮮明な蛍光画像を取得することができる。
【００２７】
このように構成された本実施形態に係る画像取得装置１を用いた画像取得方法について、以下に説明する。
本実施形態に係る画像取得方法は、信号制御部１１が発生した所定の周期で繰り返される周期信号に従って、光源２から射出されたレーザ光の位置を時間的に変調する変調ステップＳ１と、変調されたレーザ光をスキャナ４によって試料Ａにおいて走査する走査ステップＳ２と、走査されたレーザ光の各走査位置において発生した蛍光を検出して検出信号を生成する検出ステップＳ３と、生成された検出信号の周波数を、信号制御部１１が発生した周期信号の周期分だけシフトする周波数シフトステップＳ４と、シフトされた検出信号を信号制御部１１が発生した周期信号の周期の整数倍の積分時間で積分する積分ステップＳ５とを含んでいる。
【００２８】
このように、本実施形態に係る画像取得装置１および画像取得方法によれば、演算部９が、周波数シフト手段１６と積分器１７によって対物レンズ５の焦点位置から発生した蛍光を復調しているので、ロックインアンプを用いる場合に必要であったリフレッシュレートが不要であり、短い露光時間で必要な感度の蛍光画像を取得することができるという利点がある。逆に、ロックインアンプにより必要な感度の蛍光画像を得るための露光時間で露光することにより、十分に明るい蛍光画像を取得することができるという利点がある。
【００２９】
なお、本実施形態においては、共焦点顕微鏡からなる画像取得装置１において、焦点外蛍光を除去した蛍光画像を取得する場合について説明したが、これに限定されるものではない。
信号制御部１１は、光制御部３、周波数シフト手段１６および積分器１７のいずれか１つに入力する周期信号を基準として、他の２つを連動させるように他の２つに入力する周期信号の位相を調整する位相調整機能を有していてもよい。
【００３０】
また、信号制御部１１を、光制御部３、周波数シフト手段１６および積分器１７とは別体の装置として記載したが、これに代えて、信号制御部１１は、光制御部３、周波数シフト手段１６および積分器１７のいずれか１つに備えられていてもよい。
例えば、信号制御部１１が光制御部３に備えられ、光制御部３がそれ自体で発生する周期信号によって制御されるとともに、光制御部３が発生する周期信号によって周波数シフト手段１６および積分器１７が制御されることにしてもよい。
【００３１】
また、本実施形態においては、演算部９の周波数シフト手段１６としてデジタル周波数シフタを採用し、積分器１７としてデジタル積分器を採用した。Ａ／Ｄ変換した後、符号割り当てをソフトウェアで行うので、信号の波形が変化してもハードウェアを変更せずに周波数シフトを行うことができるという利点がある。
【００３２】
これに代えて、周波数シフト手段１６としてアナログ回路からなる乗算器を採用し、積分器１７としてアナログ回路からなる積分器を採用してもよい。また、周波数シフト手段１６として、アナログ回路からなる乗算器を採用し、乗算器の出力をデジタル信号に変換するＡ／Ｄ変換器を備えるとともに、デジタル積分器を採用してもよい。
【００３３】
周波数シフト手段１６としてアナログ回路からなる乗算器を採用することにより、周波数シフトを正確に行うことができ、積分時に検出信号を取りこぼすことがないという利点がある。
また、積分器１７としてデジタル積分器を採用することにより、コンデンサ開放の時間が不要となり高速処理を行うことができるという利点がある。
【００３４】
また、検出器８により検出された検出信号をデジタル信号に変換するＡ／Ｄ変換器にオフセット調整機能が備えられていることが好ましい。
オフセット調整によってノイズを打ち消すことができるとともに、所望の信号に多くのメモリを割り当てることができダイナミックレンジを向上できるという利点がある。
【００３５】
また、光制御部３として、音響光学変調器１３ａ，１３ｂを用いる場合を例示したが、これに代えて、レーザ光の強度を変調する音響光学素子、電気光学素子、ＮＤフィルタ、波長板と偏光板との組み合わせ等を用いてもよい。また、レーザ光源そのものを直接制御してもよい。
また、光制御部３として、音響光学偏光器あるいは電気光学偏光器等のレーザ光の向きを変更するデバイスを採用してもよい。
【００３６】
また、共焦点顕微鏡に代えて、図４から図６に示されるように、多光子励起顕微鏡を採用してもよいし、図７に示されるように、非線形顕微鏡を採用してもよい。
図４に示す例では、光源１８は極短パルスレーザ光を射出するレーザ光源であり、蛍光を極短パルスレーザ光の光路から分岐するダイクロイックミラー６は、対物レンズ５とスキャナ４との間に配置されている。また、図１に備えられていたピンホール７が除外されている。
【００３７】
また、図５に示す例では、波長の異なる極短パルスレーザ光を射出する２つのレーザ光源（光源）１９ａ，１９ｂと、各レーザ光源１９ａ，１９ｂからの極短パルスレーザ光を異なるパターンでそれぞれ変調する２つの光制御部２０ａ，２０ｂと、検出された蛍光から所望の蛍光を復調する２つの演算部２１ａ，２１ｂと、２対の光制御部２０ａ，２０ｂおよび演算部２１ａ，２１ｂに対し異なる周期信号を供給する２つの信号制御部２２ａ，２２ｂとを備えている。これにより、２つの蛍光信号を同時に取得することができる。また、分光デバイスを備えていなくても分光することができるという利点がある。信号制御部２２ａ，２２ｂ、光制御部２０ａ，２０ｂおよび演算部２１ａ，２１ｂを２対備えることとしたが、これに代えて、３対以上備えていてもよい。
【００３８】
また、図６に示すように、演算部２１ａ，２１ｂのみ２つ備え、単一の光制御部３および２対の演算部２１ａ，２１ｂを単一の信号制御部１１からの周期信号によって同期して作動させることにしてもよい。この例では、スキャナ２２としてニポウディスクのような多点スキャナを採用し、検出器２３としてセンサアレイを採用している。ニポウディスクによって分岐された複数の光路を経由するレーザ光に対応して２つの演算部２１ａ，２１ｂが備えられている。光変調が光源強度を制御し、焦点蛍光の飽和／非飽和を切り替え、飽和／非飽和の差分を画像化することで解像度を向上させることができる。
【００３９】
また、図７に示すように、光源１９ａ，１９ｂおよび光制御部２０ａ，２０ｂを２対備え、２つの光制御部２０ａ，２０ｂおよび単一の演算部９を単一の信号制御部１１からの周期信号によって同期して作動させることにしてもよい。このように構成することで、周波数の異なる２種類のレーザ光を重ねて試料Ａに照射する際に周波数差によって発生する試料Ａの分子の振動を利用するＳＲＳ（誘導ラマン散乱）顕微鏡のような非線形顕微鏡に適用することができる。２つの光源１９ａ，１９ｂは、それぞれ波長の異なる極短パルスレーザ光を射出するレーザ光源であり、演算部９への周期信号は一方の極短パルスレーザ光を変調する、例えば、光制御部２０ａへの周期信号と同期している。
【００４０】
また、図８に示されるように、図５の２つのレーザ光源１９ａ，１９ｂに代えて、極短パルスレーザ光を射出する単一のレーザ光源２４を採用し、ビームスプリッタ１２によって分岐された２つの光路Ｌ１，Ｌ２にそれぞれ光制御部２０ａ，２０ｂを配置してもよい。ビームスプリッタ１２を用いることなく、同一の波長の極短パルスレーザ光を射出する２つのレーザ光源１９ａ，１９ｂを採用してもよい。異なる位置に集光する極短パルスレーザ光を異なる繰り返し周期で変調し、２つの演算部９によって復調することにより、２点の信号を同時に取得でき、画像取得速度の向上を図ることができる。
【符号の説明】
【００４１】
１  画像取得装置
２，２４  光源
３，２０ａ，２０ｂ  光制御部
４，２２  スキャナ（走査部）
５  対物レンズ（光学系）
８，２３  検出器
９，２１ａ，２１ｂ  演算部
１１，２２ａ，２２ｂ  信号制御部
１６  周波数シフト手段
１７  積分器
１９ａ，１９ｂ  レーザ光源（光源）
Ａ  試料
Ｓ１  変調ステップ
Ｓ２  走査ステップ
Ｓ３  検出ステップ
Ｓ４  周波数シフトステップ
Ｓ５  積分ステップ
【図１】
2017154171.tif 000003
【図２】
2017154171.tif 000004
【図３】
2017154171.tif 000005
【図４】
2017154171.tif 000006
【図５】
2017154171.tif 000007
【図６】
2017154171.tif 000008
【図７】
2017154171.tif 000009
【図８】
2017154171.tif 000010
【国際調査報告】
2017154171.tif 000011
2017154171.tif 000012
2017154171.tif 000013
2017154171.tif 000014